(57)【要約】【課題】  害虫である蚊の繁殖を抑制し庭などの植木に給水も出来る、ボウフラ駆除兼給水器を提供する。【解決手段】  産卵しやすいように、有機物の含まれる水をトレーに溜め、３，４日置きにトレーの溜まり水を排水して、新たに水を給水する。この一貫の動作を自動で繰り返すことにより、蚊の繁殖を抑制することを特徴とする、ボウフラ駆除兼給水器。【選択図】図１
2009095326.tif 000002
【特許請求の範囲】
【請求項１】
蚊が溜まり水などに産卵する習性を利用し、溜り水を作り、卵の状態あるいはボウフラが涌いたら、自動でその溜り水を排水し、新たに水を給水するという動作を繰り返すことにより、蚊の繁殖を抑制することを特徴とする、ボウフラ駆除兼給水器。
【請求項２】
蚊の居ない季節、地域では、請求項１の溜り水を排水する動きを利用し、庭の植木などに給水も出来る、ボウフラ駆除兼給水器。
【発明の詳細な説明】
【技術分野】
【０００１】本発明は、害虫である蚊の繁殖を抑制し庭などの植木に給水も出来る、ボウフラ駆除兼給水器に関するものである。
【背景技術】
【０００２】従来、ボウフラの育つ水域を発見し殺虫剤を散布する。
生きた魚類など天敵利用する。
容器に水を溜め、ボウフラが羽化しても容器から出られないようにしたり、呼吸の為ボウフラが水面に浮上するが、水面に到達できないようにして窒息死させるものがある。
【特許文献１】特開２００６−２２３２７６号広報
【特許文献１】特開２００５−０８７１９９号広報
【特許文献１】特開平１０−１４６１４５号広報
【０００３】植木に水をやるとき、じょうろ、ホースなどで人手により散水する。
【発明の開示】
【発明が解決しようとする課題】
【０００４】    そのため次のような問題点があった。
（１）殺虫剤の散布は、土壌、水質汚染など、環境へ害を及ぼす危険性がある。
（２）魚類など、生息できない環境でも繁殖するので、天敵利用は成功例が少ない。
（３）容器の中で死んだボウフラ、および蚊の浮いた水を人手により交換する必要がある。又、水交換を怠ると死んだボウフラ、蚊が腐敗し悪臭の原因になった。
（４）植木などに水をやれない時があり、枯れる可能性があった。例えば、入院、旅行、出張など。
本発明は、以上の問題点を解決しようとするものである。
【課題を解決するための手段】
【０００５】（イ）蚊は溜り水などに産卵する習性があるので、トレー（１）に水を溜め産卵する為の罠を仕掛ける。
（ロ）光電池（２２）蓄電池（２１）モーター（２４）タイマー（２３）回路（３９）などを設け、任意に設定した時刻に、自動でトレーの溜まり水（３７）を排水（３６）、および給水されるようにする。
（ハ）排水された溜まり水は、池、水たまりなどに流れ込まない様なところ、土の上などに排水する。
（ニ）タンク（１０）からトレー（１）に給水される水量は、大気圧（２７）を利用し一定で止まるようにする。
（ホ）タンクの水（２９）が空になる前、約１５日置きくらいにタンク（１０）へ水を補給する。
（ヘ）有機物の含まれる水に産卵するので、ボウフラの餌（４１）となるご飯粒、うどんなどをトレーに入れる。又、藻や植物プランクトンなどが発生するように、川、池、沼（４２）などの水もトレーに入れる。
（ト）トレーの水面付近に産卵誘引剤（９）を置く。ラウリル酸、スクロース、カイロモンなど。
【発明の効果】
【０００６】（１）土場などへ排水した溜まり水は土に浸透、あるいは乾燥してボウフラや卵が残る。水が無いのでボウフラは餌を摂れず乾燥して死滅する。又、卵は乾燥に数ヶ月間耐えるが雨など、水に浸ると孵化する。孵化しても通常水が無い場所なので乾燥して死滅する。
（２）トレー（１）の溜まり水（３７）に漂うボウフラ（３０）、および卵（３１）も一緒に土場などへ排水（３６）するので、環境へ害を及ぼすことなく悪臭もしない。
（３）光電池（２２）で作動するので電源の無い所でも手軽に設置でき、人手により排水する煩わしさが無い。
（４）蚊の居ない季節、地域では、植木などの給水器として使える。
【発明を実施するための最良の形態】
【０００７】（イ）合成樹脂等を取材とし、トレー（１）を設ける。
（ロ）トレー（１）の排水側に、速やかに排水されるよう傾斜（３）を付ける。
（ハ）ボウフラ（３０）がタンク（１０）に侵入しないように隔壁（４）を設ける。
（二）隔壁（４）に、傾斜側（３）と同じ面に水路（８）を設け、出口にボウフラの侵入を防ぐ弁（５）を設ける。
（ホ）水路（８）を設けた反対側は、溜まり水（３７）に浮遊するボウフラ（３０）などが、滞りなく排水（３６）されるように、隔壁（４）は舳（３４）の形にする。
（ヘ）弁（５）は溜まり水（３７）に漬かるので比重を水（２９）より重くし、暖簾の様に垂れ下がり、「図９」に示すように一方向、隔壁（４）の外へ開くようにする。
（ト）「図１６」に示すように、トレー（１）の側面に支点（２）を設け、作用点（７）を押し上げるとトレー（１）が傾斜して、溜まり水（３７）が排水（３６）されるようにする。
（チ）合成樹脂等を主材としタンク（１０）を設ける。大気圧（２７）を利用するため潰れない強度にする。
（リ）トレー（１）が水平のとき突起（６）がピン（１２）を押し上げ、ピン（１２）と直結しているパッキン（１４）と、注水口（１５）との間に、隙間（３５）が開くようにする。
（ヌ）排水時、トレー（１）が傾いているとき、突起（６）とピン（１２）は当たらない高さにする。この時バネ（１３）がピン（１２）を押し返しパッキン（１４）が注水口（１５）に栓をして給水が止まるようにする。
（ル）タンク（１０）の荷重がトレー（１）に掛からないように、支柱（１９）に棚（１８）を設け乗るようにする。
（ヲ）餌（４１）が排水のとき流れにくいように、不織布（４０）などをトレー（１）に設ける。
（ワ）屋外へ設置するので防雨カバー（２０）を設け、蓄電池（２１）、モーター（２４）、タイマー（２３）、回路（３９）などを保護する。
（カ）屋外へ設置するため、野鳥などが水を飲みに来てトレー（１）に乗る可能性がある。その時、溜まり水（３７）がこぼれたり、ギヤー（２５）の破損が考えられるので、トレー（１）の傾斜側（３）に荷重が掛からないように、棚（１８）を広く取りトレー（１）を保護する。又、トレー（１）のクランク（２６）側は、野鳥の荷重が掛かっても良いように、トレー（１）が水平の時、防雨カバー（２０）に乗るようにして安定させる。
（ヨ）光電池（２２）で蓄電池（２１）へ充電し、モーター（２４）の動力源にする。
（タ）タイマー（２３）にセットされた時刻になると、モーター（２４）が回り、ギヤー（２５）クランク（２６）を介し作用点（７）を押し上げる。すると、トレー（１）が水平の常態から傾き排水（３６）する。排水を終えたら水平に戻り止るようにする。
この一連の動作を１サイクルとする【０００８】    １サイクルの一連の動きの詳細を説明する。
（１）「図３」に示すように、トレー（１）が水平のとき突起（６）がピン（１２）を押し上げ、直結しているパッキン（１４）と注水口（１５）との間に隙間（３５）が開き、「図４」に示すように、そこから水（２９）が隔壁（４）の内部に流れ込み、水路（８）を通りトレー（１）へ流れる。この時、弁（５）は隔壁（４）の外側の一方向に開き、垂れ下がっているだけなので流水（３８）の邪魔をしない。
（２）「図５」に示すように、トレー（１）の溜まり水（３７）の水嵩が上がりネジ蓋（１１）へ達したとき大気圧が掛かり、パッキン（１４）と注水口（１５）との間に隙間（３５）が開いていても、タンク（１０）から水（２９）は出ない。
（３）「図６」に示すようにトレー（１）が傾いたとき、突起（６）が地点（Ａ）から地点（Ｂ）まで下がる。下がると同時にピン（１２）はバネ（１３）に押される。パッキン（１４）はピン（１２）に直結しているので注水口（１５）に当たり栓をしてタンク（１０）からの注水が止まる。パッキン（１４）で栓をする理由は、水位（２８）がネジ蓋（１１）より下がると大気圧（２７）が掛からなくなり、水（２９）が流れ出し無駄になるからである。この時、弁（５）は垂れ下がっているだけなので排水（３６）の邪魔をしない。
（４）「図１６」に示すようにタイマー（２３）にセットされた時刻が来るとモーター（２４）が回り、ギヤー（２５）クランク（２６）を介し作用点（７）を押し上げる、と同時にトレー（１）が傾き溜まり水（３７）が排水（３６）される。この時、溜まり水（３７）に浮遊する卵（３１）ボウフラ（３０）も一緒に排水される。排水側は傾斜（３）していて隔壁（４）は舳（３４）の形をしているので、「図１２」に示すように速やかに排水（３６）される。
（５）排水が終わりトレー（１）は水平に戻り止る。「図５」に示すように弁（５）は垂直になり隔壁（４）とトレー（１）を遮断するので、新たに孵化したボウフラは隔壁（４）の中へ入れない。
（６）水平になると再び「図３」に示すように、突起（６）は地点（Ａ）に戻るので、ピン（１２）を押し上げパッキン（１４）と注水口（１５）との間に隙間（３５）が開き、タンク（１０）から水（２９）が流れ込み給水される。水嵩が上がりネジ蓋（１１）へ達したとき、大気圧（２７）が掛かるので給水が止まり、水（２９）は「図５」に示す状態になる。
（７）「図１５」に示すように、日中は日光（３３）を光電池（２２）で蓄電池（２１）へ充電し、次の作動時に備える。
以上、一連の動きを１サイクルとする。
本発明は以上の構成から成るので本発明を使用するときは、使い初めの時、餌（４１）を不織布（４０）に茶さじ一杯程度こすり付け、川、池、沼などの水（４２）もトレー（１）に入れる。タンク（１０）へ水（２９）を補給し、ネジ蓋（１１）を下にして棚（１８）に乗せセットする。
産卵してから蛹になるまで７日から１０日要するが、産卵されたことを確認することが難しい。そのため蛹になる前、３，４日置きに作動するようタイマー（２３）に任意の時刻をセットする。
数日経つと藻、植物プランクトンなどが自然発生し、トレー（１）の内面や不織布（４０）に付着するので、餌（４１）が解けてなくなっても足さなくて良い。
排水（３６）した溜まり水（３７）が、池、水たまりなどに流れ込まないような場所で、日光（３３）が当たり充電できる所に水平になるように置く。
タンクの水（２９）が空にならないうち、１５日置きくらいに水を補給する。
冬は水（２９）が凍結する可能性があるので水を抜く。又、蓄電池（２１）の寿命が短くなるので電池ボックスから外し保管する。
再び使用するときは、新たに餌（４１）を不織布（４０）にこすり付け、池などの水（４２）もトレーに入れる。
【図面の簡単な説明】
【０００９】
【図１】本発明の斜視図
【図２】本発明の可動想像図
【図３】隔壁部給水時の説明図
【図４】隔壁部流水の説明図
【図５】隔壁部水平時の水の状態
【図６】隔壁部排水時の説明図
【図７】隔壁部排水時の水の状態
【図８】弁の水平時側面図
【図９】弁の排水時側面図
【図１０】弁斜視図
【図１１】注水口の斜視図
【図１２】排水時流水の上面から見た説明図
【図１３】本発明の上面図
【図１４】隔壁部の上面図
【図１５】本発明の側面図
【図１６】本発明排水時の側面図
【符号の説明】
【００１０】１  トレー
２  支点
３  傾斜
４  隔壁
５  弁
６  突起
７  作用点
８  水路
９  産卵誘引剤
１０  タンク
１１  ネジ蓋
１２  ピン
１３  バネ
１４  パッキン
１５  注水口
１６  バネ受け
１７  棚の穴
１８  棚
１９  支柱
２０  防雨カバー
２１  蓄電池
２２  光電池
２３  タイマー
２４  モーター
２５  ギヤー
２６  クランク
２７  大気圧
２８  水位
２９  水
３０  ボウフラ
３１  卵
３２  台
３３  日光
３４  舳
３５  隙間
３６  排水
３７  溜まり水
３８  流水
３９  回路
４０  不織布
４１  餌
４２  池の水
Ａ    地点
Ｂ    地点
【図１】
2009095326.tif 000003
【図２】
2009095326.tif 000004
【図３】
2009095326.tif 000005
【図４】
2009095326.tif 000006
【図５】
2009095326.tif 000007
【図６】
2009095326.tif 000008
【図７】
2009095326.tif 000009
【図８】
2009095326.tif 000010
【図９】
2009095326.tif 000011
【図１０】
2009095326.tif 000012
【図１１】
2009095326.tif 000013
【図１２】
2009095326.tif 000014
【図１３】
2009095326.tif 000015
【図１４】
2009095326.tif 000016
【図１５】
2009095326.tif 000017
【図１６】
2009095326.tif 000018
【手続補正書】
【提出日】平成19年12月6日(2007.12.6)
【手続補正１】
【補正対象書類名】図面
【補正対象項目名】図１６
【補正方法】変更
【補正の内容】
【図１６】
2009095326.tif 000019